(57)【要約】【課題】簡単な操作で雑草を地面から根ごと引き抜くことができ、効率よく除草作業を行うことが出来る除草具を提供する。【解決手段】片手で握ることができる大きさの持ち手１２と、持ち手１２の端部に取り付けられ一方向に突出する複数本の根刺し針１４を備える。根刺し針１４は先端部が細く鋭利であり、隣接する根刺し針１４どうしの間隔は、根刺し針１４の先端部１４ａでは広く、基端部１４ｂに近づくにつれて狭くなっている。根刺し針１４の側面には、複数個の突起１６が、根刺し針１４の長手方向に沿って設けられている。【選択図】図１
2014011988.tif 000002
【特許請求の範囲】
【請求項１】
片手で握ることができる大きさの持ち手と、前記持ち手の端部に取り付けられ一方向に突出する複数本の根刺し針が設けられ、前記根刺し針は先端部が細く鋭利であり、隣接する前記根刺し針どうしの間隔は、前記根刺し針の先端部では広く、基端部に近づくにつれて狭くなることを特徴とする除草具。
【請求項２】
前記根刺し針の側面には、複数個の突起が、前記根刺し針の長手方向に沿って設けられ、前記突起は、前記根刺し針の、前記持ち手に取り付けられている基端部に面している部分が、前記根刺し針の前記持ち手と反対側の先端部に面している部分よりも、直角に近い角度で根刺し針に交差するように形成され、前記根刺し針の前記持ち手と反対側の先端部に面している部分は、前記根刺し針からの突出量が大きくなるにつれて前記基端部に近づく角度であり、前記除草具を使用する時、前記根刺し針を地面に差すときは容易に差し込まれ、前記根刺し針を地面から抜くときは雑草の根が前記突起の前記傾斜面に引っ掛けられて保持され、前記雑草の根を一緒に地面から抜くことができる請求項１記載の除草具。
【請求項３】
前記根刺し針は、同形状の３本が一列に並べられて設けられ、隣接する前記根刺し針どうしの間隔は、前記根刺し針の先端部では広く、基端部に行くにつれて狭くなり、前記根刺し針の基端部どうしが接して、略Ｖ字形に形成され、前記突起は、前記根刺し針の並び方向に平行な位置に形成されている請求項１又は２記載の除草具。
【請求項４】
前記根刺し針は、先端部に近づくにつれて一方向に曲げられている請求項１又は２記載の除草具。
【請求項５】
前記持ち手と前記根刺し針は任意の角度に交差して設けられ、前記持ち手と前記根刺し針の交差する角部の外側には、地面に当接する支点部材が設けられ、前記持ち手は作業者が立った姿勢で腕を前に出したときにつかむ高さに達している請求項１記載の除草具。
【発明の詳細な説明】
【技術分野】
【０００１】
この発明は、庭、畑、公園、ゴルフ場等で不要に生えた雑草類を地面から引き抜く際に使用する除草具に関する。
【背景技術】
【０００２】
従来、雑草を地面から引き抜く際に雑草を根ごと地面から確実に引き抜くために、地面に差して雑草を挟んで引き抜く除草具がある。例えば特許文献１に開示されている除草具は、雑草を掴む一対の挟持片と、これらを支持するアーム部材が設けられ、一方の挟持片には、先端方向に伸びて開口する一以上のスリットが形成されている。他方の挟持片には、対向する挟持片のスリットに嵌り込む突状が設けられ、さらにその先端には、対向する挟持片に閉じたときに対向する挟持片の先端部に被る折曲部が設けられている。
【０００３】
この除草具の使用方法は、一対の挟持片を開いた状態のまま、スリットを形成した方の挟持片を下にして雑草の根を目がけて地中に差し込む。次に、アーム部材を強く握ってその間を狭め、一対の挟持片で雑草の茎や葉を上下方向から挟み、その状態のまま、手前に引くか、又は差し込んだ時の角度のまま上方に引き上げる。これにより、対象の雑草を根ごと除去することができる。
【先行技術文献】
【特許文献】
【０００４】
【特許文献１】特許第３５０５２７１号公報
【発明の概要】
【発明が解決しようとする課題】
【０００５】
上記背景技術の場合、雑草を掴むためにアーム部材を強く握って一対の挟持片の間隔を狭めるため、回数を重ねると手が疲れるものである。また、アーム部材を握りながら引き抜く力を加えなければならず、力が弱い人にとっては作業しづらいものであった。また、挟持片の先端は鋭利ではないため、地面に差し込みにくくこの点でも力が必要であり、雑草の根元を的確に差すことが難しく、育てている植物の近くにある雑草や、芝生や苔の中の除草には適していなかった。また、地面をほぐす機能はなく、硬い地面に生えている雑草や、根が長い雑草は、根が切れて地中に残ることがあった。さらに、根が挟持片にからみやすく、これを手で取り除く作業が煩わしかった。
【０００６】
この発明は、上記背景技術の問題点に鑑みてなされたものであり、簡単な操作で雑草を地面から根ごと引き抜くことができ、効率よく除草作業を行うことが出来る除草具を提供することを目的とする。
【課題を解決するための手段】
【０００７】
この発明は、片手で握ることができる大きさの持ち手と、前記持ち手の端部に取り付けられ一方向に突出する複数本の根刺し針が設けられ、前記根刺し針は先端部が細く鋭利であり、隣接する前記根刺し針どうしの間隔は、前記根刺し針の先端部では広く、基端部に近づくにつれて狭くなっている除草具である。
【０００８】
また、前記根刺し針の側面には、複数個の突起が、前記根刺し針の長手方向に沿って設けられている。前記突起は、前記根刺し針の、前記持ち手に取り付けられている基端部に面している部分が、前記根刺し針の前記持ち手と反対側の先端部に面している部分よりも、直角に近い角度で根刺し針に交差するように形成され、前記根刺し針の前記持ち手と反対側の先端部に面している部分は、前記根刺し針からの突出量が大きくなるにつれて前記基端部に近づく角度である。前記除草具を使用する時、前記根刺し針を地面に差すときは容易に差し込まれ、前記根刺し針を地面から抜くときは雑草の根が前記突起の前記傾斜面に引っ掛けられて保持され、一緒に前記雑草の根を地面から抜くことができるものである。
【０００９】
前記根刺し針は、同形状の３本が一列に並べられて設けられ、隣接する前記根刺し針どうしの間隔は、前記根刺し針の先端部では広く、基端部に行くにつれて狭くなり、前記根刺し針の基端部どうしが接して、略Ｖ字形に形成され、前記突起は、前記根刺し針の並び方向に平行な位置に形成されている。
【００１０】
前記根刺し針は、先端部に近づくにつれて一方向に曲げられているものでもよい。
【００１１】
また、前記持ち手と前記根刺し針は任意の角度に交差して設けられ、前記持ち手と前記根刺し針の交差する角部の外側には、地面に当接する支点部材が設けられ、前記持ち手は作業者が立った姿勢で腕を前に出したときにつかむ程度の高さに達しているものでもよい。
【発明の効果】
【００１２】
この発明の除草具は、簡単な操作で雑草を根ごと地面から引き抜いて除去することができ、効率よく除草作業を行うことができる。弱い力でも雑草の根元の地面を容易にほぐして、簡単に引き抜くことができる。また、地面の土が雑草の根についてくる量が少ないため、雑草の廃棄処分が容易となり、地面を荒らすことを最小限とすることができる。
【図面の簡単な説明】
【００１３】
【図１】この発明の一実施形態の除草具の正面図である。
【図２】この発明の一実施形態の除草具の底面図である。
【図３】この発明の一実施形態の除草具の部分拡大底面図である。
【図４】この発明の一実施形態の除草具の使用状態を示す斜視図である。
【図５】この発明の一実施形態の除草具の使用状態を示す斜視図である。
【図６】この発明の一実施形態の除草具の変形例を示す底面図である。
【図７】この発明の一実施形態の除草具の変形例を示す底面図である。
【発明を実施するための形態】
【００１４】
以下、この発明の実施形態について図面に基づいて説明する。図１〜図５はこの発明の一実施形態を示すもので、この実施形態の除草具１０は、棒状の持ち手１２が設けられている。持ち手１２の断面形状は円筒形、四角柱形等、握りやすいものであればよい。持ち手１２の一方の端部１２ａには、３本の根刺し針１４が設けられている。各根刺し針１４は、先端部１４ａが鋭利な針であり、持ち手１２に取り付けられる基端部１４ｂに近づくにつれて太くなっている。根刺し針１４の長手方向に交差する断面形状は、円形や矩形等自由に設定可能である。
【００１５】
除草具１０は、３本の同形状の根刺し針１４が、図１の正面図で、一列に並べられて互いに平行に設けられている。隣接する根刺し針１４どうしの隙間１５は、一対の根刺し針１４の先端部１４ａでは広く、基端部１４ｂに行くにつれて狭くなり、基端部１４ｂでは互いに接して、Ｖ字形に形成されている。根刺し針１４は、持ち手１２の内側に挿入された取付部１４ｃが設けられて、持ち手１２に取り付けられている。
【００１６】
根刺し針１４の、図１で紙面表側に位置する正面には、複数個の突起１６が差込方向に沿って一列に並べられて一体に設けられている。突起１６は図３に示すように、根刺し針１４の、根刺し針１４の先端部１４ａに面している傾斜面１６ａよりも、基端部１４ｂに面している傾斜面１６ｂの方が、直角に近い角度で根刺し針１４に交差するように形成され、傾斜面１６ａは、根刺し針１４からの突出量が大きくなるにつれて基端部１４ｂに近づく角度である。傾斜面１６ｂも、根刺し針１４からの突出量が大きくなるにつれて基端部１４ｂに近づく角度で形成されている。これにより、根刺し針１４を地面に差すときは容易に差し込まれ、根刺し針１４を地面から抜くときは、後述する雑草２０の根２０ａが突起１６に引っ掛けられ、突起１６ｂで根２０ａを保持して一緒に抜くことができるものである。
【００１７】
次に除草具１０の使用方法について図４、図５に基づいて説明する。図４は、除草具１０の根刺し針１４を使って、根２０ａごと雑草２０を引き抜く様子を示している。まず、根刺し針１４を斜め方向から根元に差し、親指で根元の葉の部分を軽く抑え、親指と根差し針１４により雑草２０の根元を挟持して上方向に引き抜く。軽く抜けない場合は、親指で根元の葉を押えたままで、上下、前後、左右にゆすったり、回転させたりして引き抜く。引き抜いたあと、親指で雑草２０を根刺し針１４の先端部１４ａ側に押し出すと、隙間１５の間隔が広い部分から雑草２０が落下する。
【００１８】
図５は、地面１８が硬い、雑草２０が生育して根２０ａが長い等、根２０ａが途中で切れやすい等の状況で雑草２０を引き抜く様子を示している。雑草２０を引き抜く前に、あらかじめ根２０ａの近くに除草具１０の根刺し針１４を差し込み、周囲の土を差しほぐす。ほぐした後、根刺し針１４を根２０ａの近くに差し込み、持ち手１２を雑草２０から離すように、図５の二点鎖線で示すように倒し、根刺し針１４の先端部１４ａを根２０ａの中心方向に押し込み、持ち上げるように土をほぐしながら雑草２０を取り上げる。ほぐす回数や、根刺し針１４の差し込み深さは、雑草２０の大きさにあわせて判断する。
【００１９】
なお、発芽直後の数ミリの雑草は、直接除去することが難しく、除草具１０の根刺し針１４で地面１８を掻きならすことで雑草２０を浮き上がらせ、雑草２０の生育条件を壊して除草する。また、芝や苔の中の雑草２０は、雑草２０の根２０ａが弱いことが多く、根刺し針１４を雑草２０の真上から突き刺し、親指と根差し針１４の間に雑草２０を挟みこんで上に引くと軽く抜ける。これにより、周囲を痛めることが少ない。
【００２０】
この実施形態の除草具１０によれば、簡単な操作で雑草２０を根２０ａごと地面１８から引き抜いて、雑草２０を除去することができる。除草具１０の根刺し針１４は先端部１４ａが鋭利であり、雑草２０の根元に弱い力で抵抗なく差して、簡単に地面１８から引き抜くことができる。根刺し針１４を雑草２０の根元に直接差し込むことで、根２０ａを切断することなく根幹から全て抜き取ることができる。これにより雑草２０が再び成長することを防ぐことができ、再び生えるまでの時間が長くなり、除草した状態を保つことができる。
【００２１】
その他、地面１８が硬い、根２０ａが長い等の根２０ａが途中で切れやすい状況でも、根刺し針１４を根２０ａの周囲に差し込み地面１８をほぐしてから引き抜くことで、根２０ａが途中で切れることなく、雑草２０を根２０ａごと容易に除去することができる。根刺し針１４は、先端部１４ａが鋭利でありピンポイントで差すことができ、芝生や苔の中の雑草２０も容易に除去することができ、また種子を落とす前の小さな雑草も抜き取ることができ、雑草２０の増殖を抑えることができる。根刺し針１４には突起１６が設けられ、地面１８に根刺し針１４を差すときは支障なく円滑に差すことができ、引き抜くときは確実に雑草２０を保持して、根２０ａごと引き抜くことができる。根刺し針１４で地面１８をほぐすことで地面１８の土が雑草２０の根２０ａについてくる量を少なくすることができ、地面１８を荒らすことを最小限とすることができる。付着する土が少なく地面１８を荒らすことがなく、庭やゴルフ場の芝等を痛めることがない。
【００２２】
さらに、隣接する根刺し針１４どうしの隙間１５は、基端部１４ｂに近づくほど細くなるＶ字形に設けられているため、根刺し針１４を雑草２０の根元に差したとき、雑草２０の太さにかかわらず、狭い部分に雑草２０が挟まれて確実に保持される。根刺し針１４の隙間１５の適した幅のところで確実に雑草２０を保持することができ、雑草２０を地面１８から抜いた後は、親指で雑草２０を根刺し針１４の先端部１４ａ側に押し出して、隙間１５の間隔が広い部分から雑草２０を落下させ、素早く次の動作に移ることができる。また、雑草２０の根２０ａが根刺し針１４にからみつくことがなく、除草作業を片手ですることができ、除草効率がアップする。庭や家屋の周辺の空き地、庭園の苔の中の雑草等、草刈り機を使用できない場所や、除草剤散布の出来ない場所での除草に適している。
【００２３】
なお、この実施形態の除草具１０は、各部材の形状を自由に変更することができる。例えば図６に示す除草具２１は、根刺し針２２が持ち手１２に取り付けられ、根刺し針２２は根刺し針２２の先端部２２ａに近づくにつれて一方向に曲げられたものでもよい。
【００２４】
この除草具２１によれば、根刺し針２２の先端部２２ａが曲がっているため、梃子のようになり、雑草２０をより弱い力で除去することができる。さらに、根刺し針２２を曲線にすることで引き抜きやすくし、弱い力で除草することができる。なお、根刺し針２２には突起１６がなくてもよい。
【００２５】
また、例えば図７に示す実施形態の除草具２３は長い持ち手２４を有し、持ち手２４の端部２４ａに、根刺し針１４が取り付けられている。根刺し針１４持ち手２４の長手方向に対しては略直角に交差して取り付けられ、持ち手２４と根刺し針１４の交差する角部の外側には地面に当接する支点部材２６が設けられている。持ち手２４は作業者が立った姿勢で腕を前に出したときにつかむ程度の高さに達している。
【００２６】
この除草具２３によれば、持ち手２４と根刺し針１４が交差して設けられているため、支点部材２６を中心とする梃子のようになり、支点部材２６を雑草２０近傍の地面１８に当接させ、持ち手２４を二点鎖線で示すように倒すと根刺し針１４が持ち上がり、雑草２０を地面１８から引き抜くことができる。例えば一面が雑草２０で覆われている状態での除草作業では、この作業を繰り返し、一定間隔で前進または後退しながら除草する。これにより、立った姿勢のままで連続作業が可能となり、作業の軽減を図ることができる。
【００２７】
なお、この発明の除草具は、上記実施の形態に限定されるものではなく、根刺し針の本数や、太さ、長さ等は適宜変更可能である。根刺し針の突起の形状は、雑草が確実に保持されるものであれば良く、円柱形状やリブ状の突部等でもよい。根刺し針に突起が任意の数を付けてもよく、付けなくてもよい。根刺し針の長手方向の形状は直線でも曲線でもよく、断面形状は円形や矩形等、適宜自由に設定することができる。
【符号の説明】
【００２８】
１０  除草具
１２  持ち手
１４  根刺し針
１４ａ  先端部
１４ｂ  基端部
１５  隙間
１６  突起
１８  地面
２０  雑草
【図１】
2014011988.tif 000003
【図２】
2014011988.tif 000004
【図３】
2014011988.tif 000005
【図４】
2014011988.tif 000006
【図５】
2014011988.tif 000007
【図６】
2014011988.tif 000008
【図７】
2014011988.tif 000009
【手続補正書】
【提出日】平成24年10月22日(2012.10.22)
【手続補正１】
【補正対象書類名】明細書
【補正対象項目名】０００７
【補正方法】変更
【補正の内容】
【０００７】
この発明は、片手で握ることができる大きさの持ち手と、前記持ち手の端部に取り付けられ一方向に突出する複数本の根刺し針が設けられ、前記根刺し針は、先端部が細く鋭利であり前記持ち手の端部から突出し、前記根刺し針の基端部が前記持ち手の端部に位置し、前記基端部から延長された取付部が前記持ち手内に挿入されて、前記根刺し針が前記持ち手に固定され、隣接する前記根刺し針どうしの間隔は、前記根刺し針の先端部では広く、前記持ち手に取り付けられた基端部に近づくにつれて狭くなり、前記基端部では前記根刺し針どうしが互いに接してＶ字形に形成されている除草具である。
【手続補正２】
【補正対象書類名】明細書
【補正対象項目名】０００８
【補正方法】変更
【補正の内容】
【０００８】
また、前記根刺し針の側面には、複数個の突起が、前記根刺し針の長手方向に沿って設けられ、前記突起は、前記根刺し針の、前記持ち手に取り付けられている基端部に面している第１傾斜面が、前記根刺し針の前記持ち手と反対側の先端部に面している第２傾斜面よりも、直角に近い角度で根刺し針に交差するように形成され、前記第２傾斜面は、前記根刺し針からの突出量が大きくなるにつれて前記基端部に近づく角度であり、前記除草具を使用する時、前記根刺し針を地面に差すときは容易に差し込まれ、前記根刺し針を地面から抜くときは雑草の根が前記突起の前記第１傾斜面に引っ掛けられて保持され、前記雑草の根を一緒に地面から抜くことができるものである。
【手続補正３】
【補正対象書類名】明細書
【補正対象項目名】００１６
【補正方法】変更
【補正の内容】
【００１６】
根刺し針１４の、図１で紙面表側に位置する正面には、複数個の突起１６が差込方向に沿って一列に並べられて一体に設けられている。突起１６は図３に示すように、根刺し針１４の先端部１４ａに面している第２傾斜面１６ａよりも、基端部１４ｂに面している第１傾斜面１６ｂの方が、直角に近い角度で根刺し針１４に交差するように形成され、第２傾斜面１６ａは、根刺し針１４からの突出量が大きくなるにつれて基端部１４ｂに近づく角度である。第１傾斜面１６ｂも、根刺し針１４からの突出量が大きくなるにつれて基端部１４ｂに近づく角度で形成されている。これにより、根刺し針１４を地面に差すときは容易に差し込まれ、根刺し針１４を地面から抜くときは、後述する雑草２０の根２０ａが突起１６に引っ掛けられ、第１傾斜面１６ｂで根２０ａを保持して一緒に抜くことができるものである。
【手続補正４】
【補正対象書類名】特許請求の範囲
【補正対象項目名】全文
【補正方法】変更
【補正の内容】
【特許請求の範囲】
【請求項１】
片手で握ることができる大きさの持ち手と、前記持ち手の端部に取り付けられ一方向に突出する複数本の根刺し針が設けられ、前記根刺し針は、先端部が細く鋭利であり前記持ち手の端部から突出し、前記根刺し針の基端部が前記持ち手の端部に位置し、前記基端部から延長された取付部が前記持ち手内に挿入されて、前記根刺し針が前記持ち手に固定され、隣接する前記根刺し針どうしの間隔は、前記根刺し針の先端部では広く、前記持ち手に取り付けられた基端部に近づくにつれて狭くなり、前記基端部では前記根刺し針どうしが互いに接してＶ字形に形成されていることを特徴とする除草具。
【請求項２】
前記根刺し針の側面には、複数個の突起が、前記根刺し針の長手方向に沿って設けられ、前記突起は、前記根刺し針の、前記持ち手に取り付けられている基端部に面している第１傾斜面が、前記根刺し針の前記持ち手と反対側の先端部に面している第２傾斜面よりも、直角に近い角度で根刺し針に交差するように形成され、前記第２傾斜面は、前記根刺し針からの突出量が大きくなるにつれて前記基端部に近づく角度であり、前記除草具を使用する時、前記根刺し針を地面に差すときは容易に差し込まれ、前記根刺し針を地面から抜くときは雑草の根が前記突起の前記第１傾斜面に引っ掛けられて保持され、前記雑草の根を一緒に地面から抜くことができる請求項１記載の除草具。
【請求項３】
前記根刺し針は、先端部に近づくにつれて一方向に曲げられている請求項１記載の除草具。
【請求項４】
前記持ち手と前記根刺し針は任意の角度に交差して設けられ、前記持ち手と前記根刺し針の交差する角部の外側には、地面に当接する支点部材が設けられ、前記持ち手は作業者が立った姿勢で腕を前に出したときにつかむ高さに達している請求項１記載の除草具。
【手続補正書】
【提出日】平成25年2月25日(2013.2.25)
【手続補正１】
【補正対象書類名】明細書
【補正対象項目名】０００７
【補正方法】変更
【補正の内容】
【０００７】
この発明は、片手で握ることができる大きさの持ち手と、前記持ち手の端部に取り付けられ一方向に突出する複数本の根刺し針が設けられ、前記根刺し針は、先端部が細く鋭利であり前記持ち手の端部から突出し、前記根刺し針の基端部が前記持ち手の端部に位置し、前記基端部から延長された取付部が前記持ち手内に挿入されて、前記根刺し針が前記持ち手に固定され、隣接する前記根刺し針どうしの間隔は、前記基端部で前記根刺し針どうしが互いに接し、前記持ち手の基端部から先端部に向かうに従い広くなるＶ字形に形成され、前記根差し針を雑草の根元に刺して、親指と前記根差し針とで前記雑草の根元を押さえて引き抜くことが可能な除草具である。
【手続補正２】
【補正対象書類名】特許請求の範囲
【補正対象項目名】請求項１
【補正方法】変更
【補正の内容】
【請求項１】
片手で握ることができる大きさの持ち手と、前記持ち手の端部に取り付けられ一方向に突出する複数本の根刺し針が設けられ、前記根刺し針は、先端部が細く鋭利であり前記持ち手の端部から突出し、前記根刺し針の基端部が前記持ち手の端部に位置し、前記基端部から延長された取付部が前記持ち手内に挿入されて、前記根刺し針が前記持ち手に固定され、隣接する前記根刺し針どうしの間隔は、前記基端部で前記根刺し針どうしが互いに接し、前記持ち手の基端部から先端部に向かうに従い広くなるＶ字形に形成され、前記根差し針を雑草の根元に刺して、親指と前記根差し針とで前記雑草の根元を押さえて引き抜くことが可能であることを特徴とする除草具。